(57)【要約】【課題】チャンネル切替後、目的チャンネルの番組が即座に表示されないことによるユーザの不満を緩和するデジタルＴＶ放送受信装置を提供する。【解決手段】デジタルＴＶ放送受信装置８０は、デジタル放送信号を受信し、指定されたチャンネルのデジタル放送信号に含まれる映像信号を復号する複数の受信処理ブロック９２Ａ及び９２Ｂと、複数の受信処理ブロック９２Ａ及び９２Ｂの出力を受け表示画面を作成する映像処理部９６と、複数の受信処理ブロック９２Ａ及び９２Ｂ、並びに映像処理部９６を制御する中央処理部１０４とを含む。中央処理部１０４はチャンネル切替の際、指定された映像信号を受信中の受信処理ブロックがあれば映像処理部９６にその出力を選択させ、さらに、次に指定されるチャンネルを予測し、その出力が選択されていない受信処理ブロックに予測チャンネルの信号を受信させる。【選択図】        図３
2009017360.tif 000002
【特許請求の範囲】
【請求項１】
デジタル放送信号を受信し、指定されたチャンネルのデジタル放送信号に含まれる映像信号を復号するための複数の映像信号受信処理手段と、
前記複数の映像信号受信処理手段のいずれか一つを指定する選択信号に応答し、前記複数の映像信号受信処理手段から出力される映像信号から、前記選択信号により指定された映像信号受信処理手段の出力する映像信号を選択して表示部に出力するための選択手段と、
ユーザからチャンネル切替指示を受けたことに応答して、前記複数の映像信号受信処理手段及び前記選択手段を制御して、指定されたチャンネルのデジタル放送信号に含まれる映像信号を前記表示部に出力させるための制御手段とを含み、
前記制御手段は、
前記複数の映像信号受信処理手段のうちに、当該指定されたチャンネルのデジタル放送信号に含まれる映像信号を復号中のものがあるか否かを判定するための判定手段と、
前記判定手段により、前記指定されたチャンネルのデジタル放送信号に含まれる映像信号を復号中の映像信号受信処理手段があると判定されたことに応答して、前記選択手段を制御して当該映像信号受信処理手段の出力を選択させるための選択制御手段と、
前記判定手段により、前記指定されたチャンネルのデジタル放送信号に含まれる映像信号を復号中の映像信号受信処理手段がないと判定されたことに応答して、前記選択手段により出力が選択されている映像信号受信処理手段に前記指定されたチャンネルのデジタル放送信号に含まれる映像信号の復号を開始させるための映像信号復号開始手段と、
次のチャンネル切替指示時にユーザが指定するチャンネルを予測し、前記選択手段により出力が選択されていない映像信号受信処理手段に、予測したチャンネルのデジタル放送信号に含まれる映像信号の復号を開始させるためのチャンネル予測手段とを含む、デジタル放送受信装置。
【請求項２】
前記複数の映像信号受信処理手段の各々は、
デジタル放送信号を受信し、指定されたチャンネルのデジタル放送信号に含まれる文字情報による文字情報画面を作成することが可能であり、
前記制御手段は、さらに、
前記判定手段により、前記指定されたチャンネルのデジタル放送信号に含まれる映像信号を復号中の映像信号受信処理手段がないと判定されたことに応答して、前記指定されたチャンネルの映像信号が正常に表示されるまでの間、前記指定されたチャンネルのデジタル放送信号に含まれる映像信号の復号を開始した前記映像信号受信処理手段を制御して、前記文字情報画面を作成させ、前記表示部に表示させるための手段を含む、請求項１に記載のデジタル放送受信装置。
【請求項３】
デジタル放送信号を受信し、指定されたチャンネルのデジタル放送信号に含まれる映像信号を復号するための複数の映像信号受信処理手段と、
前記複数の映像信号受信処理手段のいずれか一つを指定する選択信号に応答し、前記複数の映像信号受信処理手段から出力される映像信号から、前記選択信号により指定された映像信号受信処理手段の出力する映像信号を選択して表示部に出力するための選択手段と、
ユーザからチャンネル切替指示を受けたことに応答して、前記複数の映像信号受信処理手段及び前記選択手段を制御して、指定されたチャンネルのデジタル放送信号に含まれる映像信号を前記表示部に出力させるための制御手段とを含むデジタル放送受信装置において、前記指定されたチャンネルのデジタル放送信号に含まれる映像信号を前記表示部に表示させるための、デジタル放送受信装置の制御方法であって、
前記制御手段が、前記複数の映像信号受信処理手段のうちに、当該指定されたチャンネルのデジタル放送信号に含まれる映像信号を復号中のものがあるか否かを判定する判定ステップと、
前記制御手段が、前記判定ステップにより、前記指定されたチャンネルのデジタル放送信号に含まれる映像信号を復号中の映像信号受信処理手段があると判定されたことに応答して、前記選択手段を制御して当該映像信号受信処理手段の出力を選択させるためのステップと、
前記制御手段が、前記判定ステップにより、前記指定されたチャンネルのデジタル放送信号に含まれる映像信号を復号中の映像信号受信処理手段がないと判定されたことに応答して、前記選択手段により出力が選択されている映像信号受信処理手段に前記指定されたチャンネルのデジタル放送信号に含まれる映像信号の復号を開始させるステップと、
前記制御手段が、次のチャンネル切替指示時にユーザが指定するチャンネルを予測し、前記選択手段により出力が選択されていない映像信号受信処理手段に、予測したチャンネルのデジタル放送信号に含まれる映像信号の復号を開始させるステップとを含む、デジタル放送受信装置の制御方法。
【請求項４】
デジタル放送信号を受信し、指定されたチャンネルのデジタル放送信号に含まれる映像信号を復号するための複数の映像信号受信処理手段と、
前記複数の映像信号受信処理手段のいずれか一つを指定する選択信号に応答し、前記複数の映像信号受信処理手段から出力される映像信号から、前記選択信号により指定された映像信号受信処理手段の出力する映像信号を選択して表示部に出力するための選択手段と、
前記映像信号受信処理手段、及び前記選択手段を制御可能なように設けられたコンピュータとを含む、デジタル放送受信装置において、前記コンピュータにより実行されることにより、ユーザからチャンネル切替指示を受けたことに応答して、前記指定されたチャンネルのデジタル放送信号に含まれる映像信号を前記表示部に表示させるように前記映像信号受信処理手段、及び前記選択手段を制御するためのコンピュータプログラムであって、
前記コンピュータプログラムは、前記コンピュータを、
前記複数の映像信号受信処理手段のうちに、当該指定されたチャンネルのデジタル放送信号に含まれる映像信号を復号中のものがあるか否かを判定するための判定手段と、
前記判定手段により、前記指定されたチャンネルのデジタル放送信号に含まれる映像信号を復号中の映像信号受信処理手段があると判定されたことに応答して、前記選択手段を制御して当該映像信号受信処理手段の出力を選択させるための選択制御手段と、
前記判定手段により、前記指定されたチャンネルのデジタル放送信号に含まれる映像信号を復号中の映像信号受信処理手段がないと判定されたことに応答して、前記選択手段により出力が選択されている映像信号受信処理手段に前記指定されたチャンネルのデジタル放送信号に含まれる映像信号の復号を開始させるための映像信号復号開始手段と、
次のチャンネル切替指示時にユーザが指定するチャンネルを予測し、前記選択手段により出力が選択されていない映像信号受信処理手段に、予測したチャンネルのデジタル放送信号に含まれる映像信号の復号を開始させるためのチャンネル予測手段として機能させる、コンピュータプログラム。
【発明の詳細な説明】
【技術分野】
【０００１】
この発明はテレビジョン（以下「テレビ」と呼ぶ）の映像表示の改善技術に関し、特に、デジタルテレビ放送においてチャンネルを切替えたときの映像表示を改善する技術に関する。
【背景技術】
【０００２】
これまでのアナログテレビ放送に代わり、すべてのテレビ放送がデジタル化されつつある。テレビ放送がデジタル化されることにより、電波の帯域を有効に利用しながら、ノイズの影響を受けることの少ない多くのチャンネルを利用することが可能になる。
【０００３】
帯域を有効に使用するために、デジタルテレビ放送では画像の符号化が行なわれている。画像の符号化には、フレーム内予測符号化、フレーム間予測符号化などの予測符号化技術が採用されている。このような技術を採用することにより、送信されるデータ量を少なくしながら、鮮明な画質のデジタルテレビ放送を行なうことができる。
【０００４】
しかし、予測符号化方式を採用したことにより、次のような不都合が生じている。すなわち、予測符号化技術を採用しているため、あるフレームの画像を作成するためには、時間的にそれに先立つ画像が必要とされることがある。そのため、ある放送局のデジタルテレビ放送信号を最初に受信し、これをデコードするためにはある時間が必要とされる。この間に受信される信号のみから映像を再構成することはできない。そのため、チャンネルの切替があった後、前の画像に依存しない特定の画像フレームを受信するまでの間、画面には何も表示されないことになる。この時間はわずかではあるが、チャンネルを切替えた直後に画面が真っ暗になるため、ユーザにパニックを引起こすという問題がある。
【０００５】
また、いわゆるザッピングを行なっている場合には、このように一時的にせよ映像が表示されない場合、アナログ方式のテレビ受像機と比較してザッピングに時間がかかってしまうことになる。チャンネル数が多くなっている現在、このようにザッピングに時間がかかってしまうことは避けるべきである。
【０００６】
図１に、従来の技術による複数回のチャンネル切替操作と映像表示のシーケンス２０との関係を示す。図１を参照して、最初にユーザが第１チャンネル（ＣＨ１）を視聴しており、映像３０が表示されていたものとする。あるタイミングでユーザがチューナに対して第２チャンネル（ＣＨ２）を選択したものとする。アナログテレビ放送の場合であれば、この操作に応じて直ちに第２チャンネルの映像３４が画面に表示される。しかしデジタルテレビ放送の場合には、チャンネル切替後直ちに第２チャンネルの映像３４が表示されることはなく、ある時間４０の間真っ暗な画面３２が表示される。この間は、前述したように第２チャンネルの映像信号を受信し、正常なデコード（復号）が開始されるまでの時間期間であり、放送されるデジタル放送信号の符号化方式と、チャンネル切替の指示のタイミングとに主に依存してその長さが変化する。
【０００７】
この後、ユーザが第３チャンネル（ＣＨ３）、第４チャンネル（ＣＨ４）、第５チャンネル（ＣＨ５）、第６チャンネル（ＣＨ６）という順序でチャンネル変更操作を行なったとする。この場合も前述の理由で、チャンネル切替後直ちに切替先のチャンネルの映像が表示されることはなく、その都度ある時間の間真っ暗な画面が表示される。このため、ユーザは各チャンネルの番組を映像から即座に確認することができない。
【０００８】
こうした問題を解決するために、後述する特許文献１には、チャンネルの切替後、目的チャンネルの映像表示が可能になるまでの間、「チャンネル切替中です」などのメッセージを画面に表示する技術が開示されている。こうしたメッセージを表示することにより、少なくともユーザは、テレビ受像機が故障してはいないことについて理解することができる。
【０００９】
一方、特許文献１に開示の技術でも、チャンネル切替後、一定の時間の間は映像を確認することができないという問題がある。特許文献２に開示のデジタル放送受信装置は、２つのチューナを持ち、一方のチューナである放送局の放送を受信している間、他方のチューナで、別の複数の放送局の放送を順次受信及び復号し、その都度、放送中の番組の動画を記録しておく。チャンネル切替の際、切替先チャンネルの映像表示が可能になるまでの間、記録しておいた切替先チャンネルの動画を再生し直ちに表示する。したがって、ユーザは直ちに切替先チャンネルの映像を見ることができる。ザッピングを行なう場合にも有効である。
【特許文献１】特開２００６−５０５５３号公報
【特許文献２】特開２００１−３０９２５５号公報
【発明の開示】
【発明が解決しようとする課題】
【００１０】
特許文献２に開示の装置では、チャンネル切替時に表示される動画は、いずれも既に受信した映像信号を記録したものであり、最新の情報ではない。このため、ユーザにとって利益性の低い映像情報が表示される場合がある。
【００１１】
したがって本発明の目的は、チャンネル切替後のある時間期間において、目的とするチャンネルの番組が表示されないことにより生ずるユーザの不満を緩和することができるデジタルテレビ放送の受信装置を提供することである。
【００１２】
この発明の他の目的は、チャンネルの切替時に、新たなチャンネルで放送中の番組の内容について早期にユーザが知ることができ、それによって目的とするチャンネルの番組が表示されないことにより生ずるユーザの不満を緩和することができるデジタルテレビ放送の受信装置を提供することである。
【課題を解決するための手段】
【００１３】
本発明の第１の局面に係るデジタル放送受信装置は、デジタル放送信号を受信し、指定されたチャンネルのデジタル放送信号に含まれる映像信号を復号するための複数の映像信号受信処理手段と、複数の映像信号受信処理手段のいずれか一つを指定する選択信号に応答し、複数の映像信号受信処理手段から出力される映像信号から、選択信号により指定された映像信号受信処理手段の出力する映像信号を選択して表示部に出力するための選択手段と、ユーザからチャンネル切替指示を受けたことに応答して、複数の映像信号受信処理手段及び選択手段を制御して、指定されたチャンネルのデジタル放送信号に含まれる映像信号を表示部に出力させるための制御手段とを含む。制御手段は、複数の映像信号受信処理手段のうちに、当該指定されたチャンネルのデジタル放送信号に含まれる映像信号を復号中のものがあるか否かを判定するための判定手段と、判定手段により、指定されたチャンネルのデジタル放送信号に含まれる映像信号を復号中の映像信号受信処理手段があると判定されたことに応答して、選択手段を制御して当該映像信号受信処理手段の出力を選択させるための選択制御手段と、判定手段により、指定されたチャンネルのデジタル放送信号に含まれる映像信号を復号中の映像信号受信処理手段がないと判定されたことに応答して、選択手段により出力が選択されている映像信号受信処理手段に指定されたチャンネルのデジタル放送信号に含まれる映像信号の復号を開始させるための映像信号復号開始手段と、次のチャンネル切替指示時にユーザが指定するチャンネルを予測し、選択手段により出力が選択されていない映像信号受信処理手段に、予測したチャンネルのデジタル放送信号に含まれる映像信号の復号を開始させるためのチャンネル予測手段とを含む。
【００１４】
このデジタル放送受信装置においては、複数の映像信号受信処理手段はそれぞれ、指定されたチャンネルのデジタル放送信号に含まれる映像信号を復号する。選択手段は、ユーザから選択信号が与えられるまで、先行する選択信号により指定された映像信号受信処理手段の出力する映像信号を選択して表示部に表示する。制御手段は、ユーザからチャンネル切替指示を受けると、指定されたチャンネルの放送信号に含まれる映像信号を表示部に出力させるための処理を実行する。すなわち、制御手段は、複数の映像信号受信処理手段のうち、指定されたチャンネルの映像信号を復号中のものがあるか否かを判定し、もしあれば、選択手段に選択信号を与え、その映像信号受信処理手段の出力を選択させる。復号中のものが無い場合は、出力が選択されている映像信号受信処理手段を制御して、指定されたチャンネルの映像信号の復号を開始させる。加えて、次にユーザが指定するであろうチャンネルの予測を行ない、出力が選択されていない映像信号受信処理手段に、予測したチャンネルの映像信号の復号を開始させる。
【００１５】
このデジタル放送受信装置は、ユーザが次に視聴するチャンネルの予測を行ない、あらかじめ予測したチャンネルの映像信号を受信しておく。ユーザによるチャンネル切替指示があった場合、指定されたチャンネルが予測したチャンネルと合致すれば、そのチャンネルの映像へ表示を切替えることで、直ちに指定されたチャンネルの映像を表示することが可能となる。これにより、ユーザは見たいチャンネルの映像を、チャンネル切替後直ちに確認することができる。
【００１６】
好ましくは、複数の映像信号受信処理手段の各々は、デジタル放送信号を受信し、指定されたチャンネルのデジタル放送信号に含まれる文字情報による文字情報画面を作成することが可能である。制御手段は、さらに、判定手段により、指定されたチャンネルのデジタル放送信号に含まれる映像信号を復号中の映像信号受信処理手段がないと判定されたことに応答して、指定されたチャンネルの映像信号が正常に表示されるまでの間、指定されたチャンネルのデジタル放送信号に含まれる映像信号の復号を開始した映像信号受信処理手段を制御して、文字情報画面を作成させ、表示部に表示させるための手段を含む。
【００１７】
制御手段は、チャンネル切替指示があり、複数の映像信号受信処理手段のうち、指定されたチャンネルの映像信号を復号中のものがない場合、指定されたチャンネルの映像信号の復号を開始した映像信号受信処理手段に、指定されたチャンネルのデジタル放送信号に含まれる文字情報を処理させ、指定されたチャンネルに関する文字情報画面を作成させる。さらに、指定されたチャンネルの映像信号の正常な出力が可能になるまでの間、表示部へ当該映像信号受信処理手段が作成した文字情報画面を表示させる。
【００１８】
このデジタル放送受信装置において、チャンネル切替時、切替先チャンネルが予測したチャンネルと合致しなければ、切替先チャンネルの映像が正常に表示されるまでの間、当該チャンネルの放送内容に関する文字情報を表示する。このため、ユーザは見たいチャンネルの放送内容に関する情報を、チャンネル切替後直ちに確認することができる。
【００１９】
本発明の第２の局面に係るデジタル放送受信装置の制御方法は、デジタル放送信号を受信し、指定されたチャンネルのデジタル放送信号に含まれる映像信号を復号するための複数の映像信号受信処理手段と、複数の映像信号受信処理手段のいずれか一つを指定する選択信号に応答し、複数の映像信号受信処理手段から出力される映像信号から、選択信号により指定された映像信号受信処理手段の出力する映像信号を選択して表示部に出力するための選択手段と、ユーザからチャンネル切替指示を受けたことに応答して、複数の映像信号受信処理手段及び選択手段を制御して、指定されたチャンネルのデジタル放送信号に含まれる映像信号を表示部に出力させるための制御手段とを含むデジタル放送受信装置において、指定されたチャンネルのデジタル放送信号に含まれる映像信号を表示部に表示させるための、デジタル放送受信装置の制御方法である。本制御方法は、制御手段が、複数の映像信号受信処理手段のうちに、当該指定されたチャンネルのデジタル放送信号に含まれる映像信号を復号中のものがあるか否かを判定する判定ステップと、制御手段が、判定ステップにより、指定されたチャンネルのデジタル放送信号に含まれる映像信号を復号中の映像信号受信処理手段があると判定されたことに応答して、選択手段を制御して当該映像信号受信処理手段の出力を選択させるためのステップと、制御手段が、判定ステップにより、指定されたチャンネルのデジタル放送信号に含まれる映像信号を復号中の映像信号受信処理手段がないと判定されたことに応答して、選択手段により出力が選択されている映像信号受信処理手段に指定されたチャンネルのデジタル放送信号に含まれる映像信号の復号を開始させるステップと、制御手段が、次のチャンネル切替指示時にユーザが指定するチャンネルを予測し、選択手段により出力が選択されていない映像信号受信処理手段に、予測したチャンネルのデジタル放送信号に含まれる映像信号の復号を開始させるステップとを含む。
【００２０】
本制御方法において、制御手段は、複数の映像信号受信処理手段のうち、指定されたチャンネルの映像信号を復号中のものがあるか否かを判定し、もしあれば、選択手段に選択信号を与え、その映像信号受信処理手段の出力を選択させる。復号中のものが無い場合は、出力が選択されている映像信号受信処理手段を制御して、指定されたチャンネルの映像信号の復号を開始させる。加えて、次にユーザが指定するであろうチャンネルの予測を行ない、出力が選択されていない映像信号受信処理手段に、予測したチャンネルの映像信号の復号を開始させる。
【００２１】
本制御方法は、ユーザが次に視聴するチャンネルの予測を行ない、あらかじめ予測したチャンネルの映像信号を受信しておく。ユーザによるチャンネル切替指示があった場合、指定されたチャンネルが予測したチャンネルと合致すれば、そのチャンネルの映像へ表示を切替えることで、直ちに指定されたチャンネルの映像を表示することが可能となる。これにより、ユーザは見たいチャンネルの映像を、チャンネル切替後直ちに確認することができる。
【００２２】
本発明の第３の局面に係るコンピュータプログラムは、デジタル放送信号を受信し、指定されたチャンネルのデジタル放送信号に含まれる映像信号を復号するための複数の映像信号受信処理手段と、複数の映像信号受信処理手段のいずれか一つを指定する選択信号に応答し、複数の映像信号受信処理手段から出力される映像信号から、選択信号により指定された映像信号受信処理手段の出力する映像信号を選択して表示部に出力するための選択手段と、映像信号受信処理手段、及び選択手段を制御可能なように設けられたコンピュータとを含む、デジタル放送受信装置において、コンピュータにより実行されることにより、ユーザからチャンネル切替指示を受けたことに応答して、指定されたチャンネルのデジタル放送信号に含まれる映像信号を表示部に表示させるように映像信号受信処理手段、及び選択手段を制御するためのコンピュータプログラムである。このコンピュータプログラムは、コンピュータを、複数の映像信号受信処理手段のうちに、当該指定されたチャンネルのデジタル放送信号に含まれる映像信号を復号中のものがあるか否かを判定するための判定手段と、判定手段により、指定されたチャンネルのデジタル放送信号に含まれる映像信号を復号中の映像信号受信処理手段があると判定されたことに応答して、選択手段を制御して当該映像信号受信処理手段の出力を選択させるための選択制御手段と、判定手段により、指定されたチャンネルのデジタル放送信号に含まれる映像信号を復号中の映像信号受信処理手段がないと判定されたことに応答して、選択手段により出力が選択されている映像信号受信処理手段に指定されたチャンネルのデジタル放送信号に含まれる映像信号の復号を開始させるための映像信号復号開始手段と、次のチャンネル切替指示時にユーザが指定するチャンネルを予測し、選択手段により出力が選択されていない映像信号受信処理手段に、予測したチャンネルのデジタル放送信号に含まれる映像信号の復号を開始させるためのチャンネル予測手段として機能させる。
【００２３】
本コンピュータプログラムにおいて、制御手段は、複数の映像信号受信処理手段のうち、指定されたチャンネルの映像信号を復号中のものがあるか否かを判定し、もしあれば、選択手段に選択信号を与え、その映像信号受信処理手段の出力を選択させる。復号中のものが無い場合は、出力が選択されている映像信号受信処理手段を制御して、指定されたチャンネルの映像信号の復号を開始させる。加えて、次にユーザが指定するであろうチャンネルの予測を行ない、出力が選択されていない映像信号受信処理手段に、予測したチャンネルの映像信号の復号を開始させる。
【００２４】
本コンピュータプログラムは、ユーザが次に視聴するチャンネルの予測を行ない、あらかじめ予測したチャンネルの映像信号を受信しておく。ユーザによるチャンネル切替指示があった場合、指定されたチャンネルが予測したチャンネルと合致すれば、そのチャンネルの映像へ表示を切替えることで、直ちに指定されたチャンネルの映像を表示することが可能となる。これにより、ユーザは見たいチャンネルの映像を、チャンネル切替後直ちに確認することができる。
【発明の効果】
【００２５】
以上のように本発明によれば、チャンネル切替時に、予測していたチャンネルと合致すれば、直ちにそのチャンネルの映像を表示することが可能となる。一方、予測がはずれたとしても、切替先のチャンネルの映像信号の表示が可能になるまでの間、文字情報、すなわち、切替先のチャンネルと、その時点においてそのチャンネルで放送されている番組の情報が表示される。その結果、画面が完全に真っ暗になってしまうことがなくなり、ユーザは、全く映像が見られないという不満を解消することができる。さらに、切替先チャンネルで放送中の番組の内容について早期にユーザが知ることができる。
【発明を実施するための最良の形態】
【００２６】
以下、本発明の実施の形態に係るデジタルテレビ放送受信装置について説明する。以下の説明及び図面では、同一の部品には同一の参照符号及び名称を付してある。それらの機能も同一である。したがって、それらについての詳しい説明は繰返さない。
【００２７】
本発明の実施の形態に係るデジタルテレビ放送受信装置は、ユーザが次に指定するチャンネルを予測する。この予測の目的は、ユーザのチャンネル切替操作に対し、切替先チャンネルが表示されるまでの時間の期待値をできるだけ短くすることである。本装置の予測方法としては、ユーザの過去の操作の履歴に基づき、次に指定するであろう確率の高いチャンネルを動的に求める方法がある。予測方法には、さらに、視聴中チャンネルの次に指定するであろうチャンネルを経験に基づいて静的に予め定めておき、視聴中チャンネルに応じて予測チャンネルを定める方法を含む。
【００２８】
［第１の実施の形態］
図２に、以下に説明する本願発明の第１の実施の形態に係るデジタルテレビ放送受信装置におけるチャンネル切替の際の表示映像シーケンス５０、並びに第１及び第２のチューナによる受信チャンネルシーケンス７２及び７４を示す。本デジタルテレビ放送受信装置は、２つのチューナを持つ。ユーザのチャンネル切替指示に応答して、一方のチューナが指定チャンネルの受信を開始すると、デジタルテレビ放送受信装置は、指定チャンネル番号とユーザのチャンネル切替方法に基づき、ユーザが次に指定するチャンネルを予測し、他方のチューナに予測チャンネルの受信を開始させる。
【００２９】
以降、説明のため、２つのチューナのうち、その出力が選択され表示部に表示されている一方を「表示中」又は「表示」、その出力が選択されず表示部に表示されていない他方を「非表示中」又は「非表示」と形容する。また、「次にユーザがどのチャンネルを視聴するか予測すること」を「チャンネル予測」と呼ぶ。なお、以下の説明では、受信可能なチャンネルのみ考えることとし、「チャンネル番号に１を加算する」とは、現在視聴中のチャンネルより大きいチャンネル番号のチャンネルのうち、最も小さいチャンネル番号を求めることをいう。「チャンネル番号から１を減算する」とは、現在視聴中のチャンネルより小さなチャンネル番号のチャンネルのうち、最も大きいチャンネル番号を求めることをいう。
【００３０】
ユーザが指示したＣＨ１の映像６０を最初に見ているものとする。この映像は表示中の第１のチューナにより受信され、デコードされたものである。この時、指定チャンネルがＣＨ１であることから、次にユーザはＣＨ１にチャンネル番号を１つ加算したＣＨ２を視聴すると予測する。非表示中の第２のチューナは、ＣＨ２の受信とデコードとを行なう。
【００３１】
次に、ユーザがＣＨ２へのチャンネル切替指示を行なうものとする。これに応答して、ＣＨ２を受信中の第２のチューナの出力へ表示を切替える。これにより、ユーザは図１に示す真っ暗な画面３２の代りに、ＣＨ２の映像６２を直ちに確認することができる。この時、ユーザはリモコンのチャンネルＵＰボタンにより指示を行なったとする。これに応答して、ユーザが次に、受信中チャンネル（ＣＨ２）の番号に１を加算した、ＣＨ３を視聴すると予測できる。したがって、非表示中の第１のチューナは、ＣＨ３の受信とデコードとを開始し継続する。
【００３２】
次に、ユーザがＣＨ３へのチャンネル切替指示を行なうものとする。これに応答して、装置はＣＨ３を受信中の第１のチューナの出力へ表示を切替える。これにより、ＣＨ３の映像６４を直ちに確認することができる。この時もユーザはリモコンのチャンネルＵＰボタンにより指示を行なったとする。これに応答して、前回と同様に次の切替先チャンネルの予測を行なう。非表示中の第２のチューナは、ＣＨ４の受信とデコードを開始し継続する。
【００３３】
次のＣＨ４へのチャンネル切替時も同様で、装置はＣＨ４を受信中の第２のチューナの出力へ表示を切替える。これにより、ＣＨ４の映像６６が直ちに表示される。非表示中の第１のチューナは、ＣＨ５の受信とデコードとを開始し継続する。
【００３４】
次にユーザがダイレクトチャンネルボタンを用いてＣＨ９への切替を指示したものとする。この場合、第１及び第２のチューナのいずれも指示されたチャンネルを受信していない。そのため、表示中の第２のチューナにより指示チャンネル（ＣＨ９）の受信及びデコードが開始される。この際、ＣＨ９の映像７０が正常に表示されるまでの期間７６において、真っ暗な画面を表示する代りに、ＣＨ９で放送中の番組情報を表示する。たとえば、画面６８に示す番組タイトル“○○○ニュース”がこれに相当する。この時、指示チャンネル（ＣＨ９）のチャンネル番号に１を加算したＣＨ１０を次に視聴すると予測する。非表示中の第１のチューナは、ＣＨ１０の受信とデコードとを開始し継続する。
【００３５】
以上のように、本装置によるチャンネル予測手段は、ユーザがチャンネルＵＰボタン、又はチャンネルＤＯＷＮボタンを用いて選局している場合、次も同じボタンを用いて、受信中チャンネルの番号に、１を加算、又は減算したチャンネルを視聴すると想定する。ユーザがダイレクトチャンネルボタンにより選局している場合、受信中チャンネルの番号に、１を加算したチャンネルを視聴すると予測する。予測されたチャンネルの放送信号を非表示中のチューナにより受信及びデコードし、チャンネル切替指示があるまで継続する。予測したチャンネルと実際にユーザが次に指定したチャンネルとが一致する場合、指定チャンネルを受信中のチューナの出力へ表示を切替える。この場合、ユーザは直ちに切替先チャンネルの映像を楽しむことができる。一方、指示チャンネルを受信しているチューナが無い場合、現在その出力が表示されているチューナにより指示チャンネルの信号を受信し、復号する。この場合、その映像が表示されるまでの間、切替先チャンネルで放送中の番組の情報を表示する。ユーザは切替先チャンネルの番組情報を直ちに得ることができる。
【００３６】
−構成−
図３に、本発明の第１の実施の形態に係るデジタルテレビ放送受信装置８０の構成をブロック図形式で示す。図３を参照して、デジタルテレビ放送受信装置８０は、デジタルテレビ放送信号を受信するアンテナ端子９０と、リモートコントローラ（以下「リモコン」と呼ぶ。）１１４等から与えられたチャンネル選局信号により指定されたチャンネルのデジタル放送信号を選局して出力するための、２つのデジタルテレビ放送受信処理ブロック９２Ａ及び９２Ｂ（以下「第１及び第２の受信処理ブロック９２Ａ及び９２Ｂ」と呼ぶ。）と、第１及び第２の受信処理ブロック９２Ａ及び９２Ｂにそれぞれ接続され、所定の契約を締結した受信者のみが視聴可能な映像信号（限定受信信号）のデコードに必要な限定受信認証鍵を格納する限定受信認証鍵格納部９４とを含む。限定受信信号とは、例えば有料テレビ放送など、スクランブルした信号であって、限定受信認証鍵を持つ受信装置のみがスクランブルを解除することができるような信号のことをいう。
【００３７】
デジタルテレビ放送受信装置８０はさらに、第１及び第２の受信処理ブロック９２Ａ及び９２Ｂの出力する受信信号をそれぞれ受けるように接続され、与えられた受信信号を処理して映像出力信号を出力する映像処理部９６と、映像処理部９６の出力する表示出力信号を受けるように接続され、その映像を表示するための表示部１００と、第１及び第２の受信処理ブロック９２Ａ及び９２Ｂの出力する受信信号をそれぞれ受けるように接続され、受信信号を処理して音声出力信号を出力する音声処理部９８と、音声処理部９８からの音声出力信号を受けて音声に変換するための音声出力部１０２とを含む。
【００３８】
デジタルテレビ放送受信装置８０はさらに、第１及び第２の受信処理ブロック９２Ａ及び９２Ｂ、映像処理部９６、並びに音声処理部９８を含む複数の入出力先の間での双方向の信号の伝送を行なうためのバス１０３と、バス１０３に接続され、図２に示されるようなチャンネル切替時の文字情報表示を実現するための所定のプログラム、及びその他の制御を行なうためのプログラムを実行する、ＣＰＵ（中央演算処理装置）からなる中央処理部１０４と、バス１０３に接続され、中央処理部１０４が実行するプログラム及び中央処理部１０４がプログラム実行の際に使用する作業変数等を当該処理時に一時的に記憶するための主記憶部１０６と、バス１０３に接続され、中央処理部１０４が実行するプログラム及びその他の情報を格納し、中央処理部１０４の制御に従って、必要な情報を必要なときに主記憶部１０６等の他の処理ブロックに出力し、他のブロックからの出力を格納するための、不揮発性の記憶装置からなる補助記憶部１０８と、バス１０３に接続され、時刻情報を出力する時計１１０と、バス１０３に接続され、リモコン１１４等からのチャンネル選択指示等の赤外線信号を受光し、中央処理部１０４に対しチャンネル切替コード等の制御コードとして与えるためのユーザ入力受付部１１２と、ユーザ入力受付部１１２に接続され、ユーザからの指示をユーザ入力受付部１１２に与えるための操作パネル１１６とを含む。
【００３９】
なお、映像処理部９６の行なう処理は、図３に示すように、チャンネルの選択などの表示選択処理、映像及び文字情報の表示を合成するための映像／文字表示合成処理、映像を含まず、文字情報のみからなる画面を作成するための文字表示画面作成処理、インターレース方式の映像表示装置向けに作成された映像信号をプログレッシブ方式の装置向けの映像信号に変換するための映像ＩＰ変換処理、低解像度の映像を拡大表示したときの映像の劣化を防ぐスケーリング処理、デコードした映像を一時蓄積してタイムシフト再生などを可能にするための映像一時蓄積処理、受信した信号中の文字情報を蓄積する文字情報蓄積処理、及び映像に対し種々の加工をするためのイフェクト処理等を含む。
【００４０】
映像処理部９６は、第１及び第２の受信処理ブロック９２Ａ及び９２Ｂの出力のうちいずれか一方を選択し、映像／文字表示合成処理及び文字表示画面作成処理等の処理を行なう。この選択は、中央制御部１０４の制御に従って行なわれる。
【００４１】
同様に、音声処理部９８の行なう処理は、図３に示すように、チャンネルの選択などの音声選択処理、日本語と英語等複数の音声をユーザが選択した場合に音声を合成するための音声合成処理、ユーザからの指示により音量を制御する音量制御処理、及び音声に対し種々の加工をするためのイフェクト処理等を含む。
【００４２】
このうち、音声選択処理では、さらに、第１及び第２の受信処理ブロック９２Ａ及び９２Ｂの出力のうちいずれか一方を選択し、前述した処理等が行なわれる。この選択も、中央制御部１０４の制御に従って行なわれる。
【００４３】
第１及び第２の受信処理ブロック９２Ａ及び９２Ｂの構成は同一である。したがって以下では第１の受信処理ブロック９２Ａの構成のみ説明する。また、受信処理ブロック９２Ａの構成要素の参照符号の末尾に文字「Ａ」を、図示しない第２の受信処理ブロック９２Ｂの、対応する要素の参照符号の末尾に文字「Ｂ」を、それぞれ付加する。
【００４４】
図４に第１の受信処理ブロック９２Ａの構成図を示す。図４を参照して、第１の受信処理ブロック９２Ａは、アンテナ端子９０により受信されたデジタルテレビ放送信号を受けるように接続され、バス１０３を介して中央処理部１０４から与えられたチャンネル選局信号により指定されたチャンネルのデジタル放送信号を選局して出力するためのデジタル放送フロントエンド処理部チューナ（以下「チューナ」と呼ぶ。）１２０Ａと、チューナ１２０Ａに接続され、チューナ１２０Ａで受信した信号を復調するための復調部１２２Ａと、復調部１２２Ａに接続され、復調部１２２Ａで復調された信号を情報の種類によって分離する多重信号分離部１２４Ａとを含む。
【００４５】
多重信号分離部１２４Ａにより分離される信号の種類としては、番組特定情報及びサービス情報パケット、映像信号パケット、及び音声信号パケットがある。番組特定情報及びサービス情報パケットにより伝送される情報のうち、番組特定情報は、番組を選択するために必要な技術的情報を含む。サービス情報は、番組表、文字情報、及び限定受信情報を含む。文字情報は、いずれも後述するチャンネル情報、「現在放送中の番組」情報、及び「次に放送予定の番組」情報を含む。限定受信情報は、映像信号パケット及び音声信号パケットが限定受信信号であった場合、それを示す情報であり、その暗号を解除するために必要な情報である。
【００４６】
第１の受信処理ブロック９２Ａは、さらに、多重信号分離部１２４Ａに接続され、多重信号分離部１２４Ａの出力のうち、番組特定情報及びサービス情報を受け、各情報に対してそれぞれ所定の処理を行なうための番組特定情報・サービス情報処理部１２６Ａを含む。
【００４７】
番組特定情報・サービス情報処理部１２６Ａにより実行される処理は、チャンネル情報、「現在放送中の番組」情報、及び「次に放送予定の番組」情報を、その目的に応じて処理し映像処理部９６または中央処理部１０４へ出力する処理を含む。なお、チャンネル情報は、例えば、図２中の画面６８に示された、チャンネル番号“ＣＨ９”及び放送局名を含む。「現在放送中の番組」情報とは、例えば、画面６８に示された“○○○ニュース”である。「次に放送予定の番組」情報は、「現在放送中の番組」情報と同様の、次に放送予定の番組に関連する情報である。
【００４８】
番組特定情報・サービス情報処理部１２６Ａにより実行される処理は、さらに、番組特定情報及びサービス情報パケットにより伝送される限定受信情報を処理し、出力する処理を含む。
【００４９】
第１の受信処理ブロック９２Ａは、さらに、多重信号分離部１２４Ａ、番組特定情報・サービス情報処理部１２６Ａ、及び限定受信認証鍵格納部９４に接続され、多重信号分離部１２４Ａの出力する映像信号パケットと、番組特定情報・サービス情報処理部１２６Ａの出力する限定受信情報と、限定受信認証鍵格納部９４の出力する限定受信認証鍵とを受け、受信された映像信号パケットが限定受信信号であるときには限定受信認証鍵を用いてその暗号を解除して出力し、それ以外のときには映像信号パケットをそのまま出力するための映像信号暗号解除処理部１２８Ａと、多重信号分離部１２４Ａの出力する音声信号パケットと、番組特定情報・サービス情報処理部１２６Ａの出力する限定受信情報と、限定受信認証鍵格納部９４からの限定受信認証鍵とを受けるように接続され、受信された音声信号パケットが限定受信信号であるときには限定受信認証鍵を用いてその暗号を解除して出力し、それ以外のときには単に音声信号パケットを出力するための音声信号暗号解除処理部１３０Ａと、映像信号暗号解除処理部１２８Ａの出力を受けるよう接続され、その出力信号から映像信号を復号して映像処理部９６に与える映像信号復号部１３２Ａと、音声信号暗号解除処理部１３０Ａの出力を受けるよう接続され、その出力信号から音声信号を復号して音声処理部９８に与える音声信号復号部１３４Ａとを含む。
【００５０】
なお、以下の説明では、受信された映像信号はすべて限定受信信号であるものとし、そのデコードに必要な限定受信認証鍵はすべて限定受信認証鍵格納部９４に格納されているものとする。
【００５１】
図５、図６及び図７は、図３に示す中央処理部１０４により実行されるチャンネルメイン制御プログラムを示す。
【００５２】
図５を参照して、中央処理部１０４が実行するプログラムは、図３に示すリモコン１１４及び操作パネル１１６によるユーザのチャンネル切替操作をユーザ入力受付部１１２が受信したか否かを判定し、受信するまで待機するステップ１４０と、ステップ１４０においてユーザによるチャンネル切替操作があると判定されたことに応答して実行され、指示されたチャンネルが現在表示している番組と異なるチャンネルか否かを判定し、判定結果に応じて制御の流れを分岐させるステップ１４２と、ステップ１４２において、指示チャンネルが現在表示している番組と異なるチャンネルであると判定されたことに応答して実行され、映像処理部９６に対して表示部１００への出力停止を指示するステップ１４４と、ステップ１４４の後に実行され、第１及び第２の受信処理ブロック９２Ａ及び９２Ｂに対しチャンネル予測及び表示切替処理を指示するステップ１４６とを含む。なお、ステップ１４２において、指示チャンネルが、現在表示している番組と同じと判定された場合、処理はステップ１４０へ戻る。
【００５３】
このプログラムはさらに、ステップ１４６の後に実行され、限定受信認証鍵格納部９４に、表示に必要な限定受信認証鍵が格納されているか否かを判定し、判定結果に応じて制御の流れを分岐させるステップ１４８と、ステップ１４８において表示に必要な限定受信認証鍵が格納されていると判定されたことに応答して実行され、映像処理部９６に、文字情報である番組情報画面を作成するための処理を実行させるステップ１５０と、ステップ１５０の後に実行され、表示部１００へ番組情報画面を出力するよう映像処理部９６を制御するステップ１５２と、ステップ１５２の後、この番組情報画面を表示するよう表示部１００を制御するステップ１５４と、ステップ１５４の後に実行され、指示チャンネルの復号済み映像信号について、その誤り率（ビットエラーレート）が基準値内か否かを判定し、基準値内になるまで待機するステップ１５６と、ステップ１５６において誤り率が基準値内であると判定されたことに応答して、映像処理部９６に対し表示部１００へ指示チャンネルの復号済み映像信号を出力するよう指示する処理を行なうステップ１５８と、ステップ１５８の後に実行され、表示部１００に指示チャンネルの復号済み映像信号を表示させるステップ１６０とを含む。ステップ１６０の後、処理を終了する。
【００５４】
このプログラムはさらに、ステップ１４８において、表示に必要な限定受信認証鍵が格納されていないと判定されたことに応答して実行され、映像処理部９６を制御し表示部１００へ「限定受信認証鍵がない」という主旨の文字情報を出力させるステップ１６２と、ステップ１６２の後、表示部１００に対しこの文字情報画面を表示させるステップ１６４とを含む。ステップ１６４の後、処理を終了する。
【００５５】
このプログラムにおいて、処理される映像信号及び文字情報は、第１及び第２の受信処理ブロック９２Ａ及び９２Ｂの出力のうち、映像処理部９６により選択されているいずれか一方となる。このため、ステップ１４６において起動される、受信処理ブロックチャンネル予測及び表示切替処理において表示チューナ入替がされた場合は、ステップ１４８の前後で、取り扱う信号の出力源が入替る。
【００５６】
なお、このプログラムを実行した場合、中央処理部１０４は、電源投入直後には初期設定のチャンネルを選択するように第１及び第２の受信処理ブロック９２Ａ及び９２Ｂを制御するものとする。
【００５７】
図６は、図５に示すステップ１４６において起動され、中央処理部１０４において実行される、チャンネル予測及び受信処理ブロックの表示切替処理の詳細を示すフローチャートである。
【００５８】
なお、以降、説明のため、ユーザにより指定されたチャンネルをＣＨ（ｘ）、ユーザが切替指示前に視聴していたチャンネルをＣＨ（ｎ）とする。このため、チャンネルＵＰボタンによるチャンネル切替の場合、ユーザの指示チャンネルはＣＨ（ｎ＋１）となる。同様に、チャンネルＤＯＷＮボタンによるチャンネル切替の場合、ユーザの指示チャンネルはＣＨ（ｎ−１）となる。
【００５９】
図６を参照して、この処理は、チャンネル予測のために、ユーザのチャンネル切替指示が、ダイレクトチャンネルボタンによるか否かを判定し、判定結果に応じて制御の流れを分岐させるステップ１７０と、ステップ１７０においてチャンネル切替指示がダイレクトチャンネルボタンによるものであると判定されたことに応答して実行され、非表示中チューナが、ＣＨ（ｘ）を受信しているか否かを判定するステップ１７１と、ステップ１７１において、非表示中チューナがＣＨ（ｘ）を受信していると判定されたことに応答して実行され、表示チューナを入替えるステップ１７２とを含む。なお、ステップ１７２における表示チューナ入替とは、それまでの非表示チューナを表示チューナに、表示チューナを非表示チューナに、それぞれ切替える処理のことをいう。表示チューナ入替では、それまでの非表示チューナの出力を表示部１００へ表示させる。
【００６０】
本プログラムはさらに、ステップ１７２の後、新たに非表示となったチューナに選局指示を行ないチャンネルＣＨ（ｘ＋１）を受信させるため、チャンネル切替処理を起動させるステップ１７３を含む。ステップ１７３の後、この処理を終了する。
【００６１】
本プログラムはさらに、ステップ１７１において、非表示チューナがＣＨ（ｘ）を受信していないと判定されたことに応答して実行され、表示中チューナにＣＨ（ｘ）を受信するよう選局指示を行なうステップ１７４と、ステップ１７４の後、非表示チューナに、チャンネルＣＨ（ｘ＋１）を受信するよう選局指示を行なうステップ１７５とを含む。ステップ１７５の後、この処理を終了する。
【００６２】
本プログラムはさらに、ステップ１７０において、ユーザのチャンネル切替指示が、ダイレクトチャンネルボタンによるものではないと判定されたことに応答して実行され、切替指示がチャンネルＵＰボタンによるものか否かを判定し、その判定結果に応じて制御の流れを分岐させるステップ１７６と、ステップ１７６において、切替指示がチャンネルＵＰボタンによるものであると判定されたことに応答して実行され、非表示チューナが、ＣＨ（ｎ＋１）を受信しているか否かを判定するステップ１７７と、ステップ１７７において、非表示チューナがＣＨ（ｎ＋１）を受信していると判定されたことに応答して実行され、表示チューナを入替えるステップ１７８と、ステップ１７８の後、非表示チューナにＣＨ（ｎ＋２）を受信するよう選局指示を行なうステップ１７９とを含む。ステップ１７９の後、この処理を終了する。
【００６３】
本プログラムはさらに、ステップ１７７において、非表示チューナがＣＨ（ｎ＋１）を受信していないと判定されたことに応答して実行され、表示チューナにＣＨ（ｎ＋１）を受信するよう選局指示を行なうステップ１８０と、ステップ１８０の後、非表示チューナにＣＨ（ｎ＋２）を受信するよう選局指示を行なうステップ１８１とを含む。ステップ１８１の後、この処理を終了する。
【００６４】
本プログラムはさらに、ステップ１７６において、ユーザのチャンネル切替指示方法が、チャンネルＵＰボタンによるものではない、すなわちチャンネルＤＯＷＮボタンによるものであると判定されたことに応答して実行され、非表示チューナが、ＣＨ（ｎ−１）を受信しているか否かを判定するステップ１８３と、ステップ１８３において、非表示チューナがＣＨ（ｎ−１）を受信していると判定されたことに応答して実行され、表示チューナを入替えるステップ１８４と、ステップ１８４の後、非表示チューナにＣＨ（ｎ−２）を受信するよう選局指示を行なうステップ１８５を含む。ステップ１８５の後、この処理を終了する。
【００６５】
本プログラムはさらに、ステップ１８３において、非表示チューナがＣＨ（ｎ−１）を受信していないと判定されたことに応答して実行され、表示チューナにＣＨ（ｎ−１）を受信するよう選局指示を行なうステップ１８６と、ステップ１８６の後、非表示チューナにＣＨ（ｎ−２）を受信するよう選局指示を行なうステップ１８７とを含む。ステップ１８１の後、この処理を終了する。
【００６６】
図７は、図６に示すステップ１７３、１７４、１７５、１７９、１８０、１８１、１８５、１８６及び１８７で実行されるチャンネル切替処理の詳細を示すフローチャートである。このチャンネル切替処理は、新たなチャンネルの信号を受信するよう選局指示を受けた、第１の受信処理ブロック９２Ａにおいて実行される。第２の受信処理ブロック９２Ｂでも同様の処理が実行される。図７を参照して、この処理は、図５に示すステップ１４０において受信したチャンネル切替コードによって指示されたチャンネルの信号を選択させるために、図４に示すチューナ１２０Ａの周波数設定を変更するステップ２００と、ステップ２００の後、チューナ１２０Ａを新周波数と同調させるステップ２０２と、ステップ２０２の後、チューナ１２０Ａにより受信された信号を復調部１２２Ａに入力しその信号を復調させるステップ２０４と、その復調された信号を情報の種類によって分離するよう多重信号分離部１２４Ａを制御するステップ２０６と、その信号分離ができるか否かを判定するステップ２０８とを含む。ステップ２０８において、信号分離できると判定された場合、処理は次のステップへ進み、一方で、信号分離できないと判定された場合、処理はステップ２０６へ戻る。
【００６７】
チャンネル切替処理は更に、ステップ２０８の判定がＹＥＳの場合に実行され、多重信号分離部１２４Ａを制御し分離された信号をその種類によってそれぞれ、映像信号暗号解除処理部１２８Ａ、音声信号暗号解除処理部１３０Ａ、及び番組特定情報・サービス情報処理部１２６Ａへ出力するステップ２１０と、ステップ２１０の後、限定受信認証鍵格納部９４に表示に必要な限定受信認証鍵が格納されているか否かを判定するステップ２１２と、ステップ２１２において、表示に必要な限定受信認証鍵が格納されていると判定されたことに応答して実行され、映像信号暗号解除処理部１２８Ａに対し、限定受信認証鍵格納部９４からの出力である限定受信認証鍵、多重信号分離部１２４Ａからの出力である映像信号パケット、及び番組特定情報・サービス情報処理部１２６Ａからの出力である限定受信情報を与え、限定受信認証鍵により映像信号パケットの暗号を解除させる処理と、音声信号暗号解除処理部１３０Ａに対し、限定受信認証鍵格納部９４からの出力である限定受信認証鍵、多重信号分離部１２４Ａからの出力である音声信号パケット、及び番組特定情報・サービス情報処理部１２６Ａからの出力である限定受信情報を与え、限定受信認証鍵により音声信号パケットの暗号を解除させる処理とを行なうステップ２１４と、ステップ２１４の後、映像信号暗号解除処理部１２８Ａ及び音声信号暗号解除処理部１３０Ａを制御し、暗号解除済みの映像及び音声信号を、映像信号復号部１３２Ａ及び音声信号復号部１３４Ａへそれぞれ出力させるステップ２１６と、ステップ２１６の後、映像信号復号部１３２Ａ及び音声信号復号部１３４Ａに入力された映像信号及び音声信号を復号させるステップ２１８と、ステップ２１８の後、映像信号復号部１３２Ａ及び音声信号復号部１３４Ａに、復号済みの映像信号及び音声信号を、それぞれ、映像処理部９６及び音声処理部９８へ出力させるステップ２２０とを含む。ステップ２２０の後、処理を終了する。
【００６８】
チャンネル切替処理はさらに、ステップ２１２において、限定受信認証鍵格納部９４に表示に必要な限定受信認証鍵が格納されていないと判定されたことに応答して実行され、映像信号暗号解除処理部１２８Ａ及び音声信号暗号解除処理部１３０Ａに対し、それぞれ、映像信号及び音声信号を、映像信号復号部１３２Ａ及び音声信号復号部１３４Ａに出力する処理を停止させるステップ２２２と、映像信号復号部１３２Ａ及び音声信号復号部１３４Ａに対し、映像処理部９６及び音声処理部９８への出力を停止させ、表示部１００に黒画面を表示させるステップ２２４とを含む。ステップ２２４の後、処理を終了する。
【００６９】
図８は、図３に示す映像処理部９６において実行され、図５に示すステップ１５０において起動される、番組情報画面作成処理の詳細を示すフローチャートである。ここでは、番組情報として「現在放送中の番組」情報を採用している。図８を参照して、このプログラムは、受信しているチャンネル信号の中から、チャンネル情報、すなわち、チャンネル番号、チャンネル番号毎に割り当てられた３桁の番号（以下「３桁の番号」と呼ぶ。）、及び放送局名を取得するステップ２４０と、ステップ２４０の後、受信しているチャンネルの信号のうち、「現在放送中の番組」情報を取得するステップ２４２と、ステップ２４０において得たチャンネル情報と、ステップ２４２において得た現在放送中の番組情報とにより、文字情報である番組情報画面を作成するステップ２４４とを含む。ステップ２４４の後、この処理を終了する。
【００７０】
−動作−
以上に構成を説明したこのデジタルテレビ放送受信装置８０は、以下のように動作する。図３を参照して、デジタルテレビ放送受信装置８０の電源が投入されると、第１及び第２の受信処理ブロック９２Ａ及び９２Ｂにそれぞれ含まれる、図４に示すチューナ１２０Ａ及びＢは、初期設定により設定されたチャンネルの信号の受信を開始し、中央処理部１０４は補助記憶部１０８に格納されたプログラムを主記憶部１０６にロードし、その実行を開始する。なお、以下に示す動作は、ユーザがリモコン１１４等を介してチャンネル切替操作を行なったときにも実行される。チャンネル切替操作を示す赤外線信号はユーザ入力受付部１１２により受信され、受信信号が中央処理部１０４に与えられる。
【００７１】
第１の受信処理ブロック９２Ａの動作を以下に説明する。第２の受信処理ブロック９２Ｂの動作も同様とする。図４を参照し、チューナ１２０Ａは、中央処理部１０４の制御により、指定されたチャンネルの受信を行なうため、その周波数設定を変更したのち、新しい周波数と同調し、受信した信号を復調部１２２Ａに与える。復調部１２２Ａは、チューナ１２０Ａにより受信し出力された信号を復調し、その信号を多重信号分離部１２４Ａへ与える。多重信号分離部１２４Ａは、復調された信号をその情報の種類によって分離し、そのうち、番組特定情報及びサービス情報パケットを番組特定情報・サービス情報処理部１２６Ａへ、映像信号パケットを映像信号暗号解除処理部１２８Ａへ、音声信号パケットを音声信号暗号解除処理部１３０Ａへ、それぞれ出力する。
【００７２】
番組特定情報・サービス情報処理部１２６Ａは、番組特定情報及びサービス情報パケットに含まれる情報のうち、限定受信情報を映像信号暗号解除処理部１２８Ａ及び音声信号暗号解除処理部１３０Ａへ与え、それ以外の情報については、中央処理部１０４の指示に応じて処理を行ない、映像処理部９６又は中央処理部１０４へ出力する。なお、番組特定情報サービス・情報処理部１２６Ａが受ける、限定受信情報以外の情報には、番組表情報の他に、文字情報である、チャンネル情報、「現在放送中の番組」情報及び「次に放送予定の番組」情報を含む。
【００７３】
映像信号暗号解除処理部１２８Ａは、多重信号分離部１２４Ａから出力された映像信号パケットについて、番組特定情報・サービス情報処理部１２６Ａから与えられた限定受信情報と、限定受信認証鍵格納部９４から与えられた限定受信認証鍵とにより、その暗号を解除して映像信号復号部１３２Ａへ出力する。映像信号復号部１３２Ａは暗号解除済みの映像信号を復号し、映像処理部９６へ与える。
【００７４】
映像処理部９６は、第１及び第２の受信処理ブロック９２Ａ及び９２Ｂがそれぞれ出力する映像信号及び文字情報のうち、いずれか一方を、中央処理部１０４の制御に従い選択する。選択された映像信号及び文字情報に対し前述した所定の処理を行なった後、処理済の映像信号及び文字情報を表示部１００へ与える。映像信号及び文字情報は、表示部１００より出力されることによりユーザに提供される。
【００７５】
音声信号暗号解除処理部１３０Ａは、多重信号分離部１２４Ａから出力された音声信号パケットについて、番組特定情報・サービス情報処理部１２６Ａから与えられた限定受信情報と、限定受信認証鍵格納部９４から与えられた限定受信認証鍵とにより、その暗号を解除して音声信号復号部１３４Ａへ出力する。音声信号復号部１３４Ａは暗号解除済みの音声信号を復号し、音声処理部９８へ与える。
【００７６】
音声処理部９８は、第１及び第２の受信処理ブロック９２Ａ及び９２Ｂがそれぞれ出力する音声信号のうちいずれか一方を、中央処理部１０４の制御に従い選択する。選択された音声信号に対し前述した所定の処理を行なった後、処理済みの音声信号を音声出力部１０２へ与える。音声信号は、音声出力部１０２より出力されることによりユーザに提供される。
【００７７】
以下、図２に示すチャンネル切替操作を仮定し、図３及び図４を参照して第１及び第２の受信処理ブロック９２Ａ及び９２Ｂ、限定受信認証鍵格納部９４、映像処理部９６、音声処理部９８、表示部１００、音声出力部１０２、中央処理部１０４及びユーザ入力受付部１１２の動作について説明する。なおここでは、第１及び第２の受信処理ブロック９２Ａ及び９２Ｂに含まれる第１のチューナ１２０Ａ及び１２０Ｂのチャンネル切替の様子を、それぞれ、図２の受信チャンネルシーケンス７２及び７４により示す。
【００７８】
ユーザが、ＣＨ１の放送するアイスホッケーの映像６０を視聴していたとする。ＣＨ１は第１のチューナ１２０Ａにより受信及びデコードされ、その出力が映像処理部９６において選択され、表示部１００に表示されていたとする。その後、ユーザが図３に示すリモコン１１４を介してＣＨ２へのチャンネル切替操作を行なったものとする。図２に示すようにユーザはチャンネルＵＰボタンを利用したとする。加えて、非表示中の第２のチューナ１２０ＢはＣＨ２を受信していたとする。チャンネル切替操作を示す赤外線信号はユーザ入力受付部１１２により受信され、受信信号が中央処理部１０４に与えられ、図５に示すチャンネルメイン制御プログラムを開始する。チャンネル切換操作があったので、図５のステップ１４０の判定結果はＹＥＳとなる。その結果ステップ１４２の処理が実行される。
【００７９】
ステップ１４２では、ユーザにより指示されたチャンネルが現在表示しているチャンネルと異なるか否かが判定される。ここでは判定結果はＹＥＳとなる。制御はステップ１４４に進み、映像処理部９６から表示部１００への出力が停止される。ステップ１４６において、受信処理ブロックチャンネル予測及び表示切替処理が実行される。
【００８０】
図６を参照して、チャンネル切替はチャンネルＵＰボタンにより行なわれたので、ステップ１７０の判定結果はＮＯ、ステップ１７６の判定結果はＹＥＳとなる。非表示中の第２のチューナ１２０ＢはＣＨ２を受信中なので、ステップ１７７の判定はＹＥＳとなる。ステップ１７８において表示チューナを入替える。中央処理部１０４の制御により、映像処理部９６は第１のチューナ１２０Ａ（第１の受信処理ブロック９２Ａ）の出力から第２のチューナ１２０Ｂ（第２の受信処理ブロック９２Ｂ）の出力へ表示選択を切替える。これにより第２のチューナ１２０Ｂの出力が、表示部１００へ表示される。ステップ１７９では、非表示チューナとなった、第１のチューナ１２０Ａ（第１の受信処理ブロック９２Ａ）にＣＨ３を受信させるため、チャンネル切替処理プログラムが起動される。
【００８１】
以下の処理は、第１の受信処理ブロック９２Ａにおいて実行される。図７を参照して、チャンネル切換処理のステップ２００において、ＣＨ３を受信するように図４に示すチューナ１２０Ａに周波数設定を変更させる。ステップ２０２では、チューナ１２０Ａの新周波数での受信の同調を待ち、その後ステップ２０４において、チューナ１２０Ａの信号を復調部１２２Ａに与えて復調させる。ステップ２０６において、多重信号分離部１２４Ａを制御し、受信した信号パケットをその種類により分離させる。ステップ２０８において、信号分離が可能か否かを判定する。ここでは、判定結果がＹＥＳとなったものとする。制御はステップ２１０へ進み、多重信号分離部１２４Ａにおいて分離された番組特定情報・サービス情報パケット、映像信号パケット、及び音声信号パケットは、それぞれ番組特定情報・サービス情報処理部１２６Ａ、映像信号暗号解除処理部１２８Ａ、及び音声信号暗号解除処理部１３０Ａに出力される。制御はステップ２１２へ進む。
【００８２】
ステップ２１２では、表示に必要な限定受信認証鍵が格納されているか否かが判定される。前述のように、本実施の形態では、限定受信認証鍵はすべて予め入手されているものとする。その結果、ステップ２１２における判定はＹＥＳとなり、制御はステップ２１４に進む。ステップ２１４では、映像信号、及び音声信号の暗号解除を、それぞれ、映像信号暗号解除処理部１２８Ａ、及び音声信号暗号解除処理部１３０Ａにおいて実行する。その後、ステップ２１６へ進み、暗号が解除された映像信号、及び音声信号は、それぞれ、映像信号復号部１３２Ａ、及び音声信号復号部１３４Ａへ出力され、ステップ２１８において復号される。その後、ステップ２２０では、復号済みの映像信号及び音声信号が、それぞれ、映像処理部９６、及び、音声処理部９８へ出力される。以上でチャンネル切換処理は終了する。
【００８３】
図５のステップ１４８の判定結果はＹＥＳであり、ステップ１５０において番組情報画面が作成される。ステップ１５２及び１５４では、映像処理部９６において番組情報画面が作成され、表示部１００へ出力される。しかし、ステップ１５６では直ちに待機が終わり、判定結果がＹＥＳとなり、直ちにステップ１５８へ処理は進む。このため、番組情報画面はユーザにほとんど視認されない。ステップ１５８及び１６０において、映像処理部９６により第２のチューナ１２０Ｂの出力するＣＨ２の信号が選択され、表示部１００に表示される。以上で処理を終了する。
【００８４】
以上の処理により、図２に示すＣＨ２の映像６２が表示される。
【００８５】
その後、ユーザによるＣＨ２からＣＨ３、及びＣＨ３からＣＨ４へのチャンネル切替は、同様にチャンネルＵＰボタンにより行なわれたとする。それぞれのチャンネル切替において、予測したチャンネルと切替先チャンネルが一致している。ＣＨ２からＣＨ３のチャンネル切替の場合は、第２のチューナ１２０Ｂから第１のチューナ１２０Ａへ、表示チューナの入替が行なわれる。ＣＨ３からＣＨ４へのチャンネル切替の場合は、第１のチューナ１２０Ａから第２のチューナ１２０Ｂへとなる。そのため、それぞれ、切替先チャンネルの映像６４（ＣＨ３）及び映像６６（ＣＨ４）が直ちに表示される。
【００８６】
次に、ユーザがチャンネルダイレクトボタンによりＣＨ９へのチャンネル切替指示を行なったとする。この時、表示中の第２のチューナ１２０ＢはＣＨ４を、また、非表示中の第１のチューナ１２０ＡはＣＨ５の受信及びデコードを行なっていたとする。図５を参照して、ステップ１４０及びステップ１４２の判定結果はＹＥＳとなる。ステップ１４４において映像処理部９６はＣＨ４の表示部１００への出力を停止する。それまで表示されていたＣＨ４の画面６６の表示は停止される。処理はステップ１４６へ進む。図６を参照して、ステップ１７０の判定結果はＹＥＳ、ステップ１７１の判定結果はＮＯとなる。ステップ１７４において、表示中の第２のチューナ１２０ＢにＣＨ９の受信が指示される。ステップ１７５では、非表示の第１のチューナ１２０ＡにＣＨ１０の受信が指示される。第１及び第２のチューナ１２０Ａ及び１２０Ｂにおいて実行されるチャンネル切替処理は前述したとおりである。処理は図５に示すステップ１４８へ進む。ここでは、判定結果はＹＥＳであり、ステップ１５０において映像処理部９６において実行される番組情報画面作成処理プログラムが起動される。この時、表示中の第２のチューナ１２０Ｂの出力が選択されており、その出力信号により番組情報画面が作成される。
【００８７】
図８に示すステップ２４０、２４２及び２４４において、ＣＨ９に関するチャンネル情報、及び「現在放送中の番組」情報により番組情報画面が作成される。ステップ１５２及び１５４において映像処理部９６より表示部１００へ作成された番組情報画面が表示される。図２に示す時間期間７６において、番組情報“ＣＨ９  ○○○ニュース”が画面６８として表示される。この時間期間７６は、図５に示すステップ１５６において、映像処理部９６に入力される復号済み映像信号の誤り率が基準値内か否かを判定し、基準値内になるまで待機する時間期間と同等である。ステップ１５６の判定結果がＹＥＳとなると、ステップ１５８、及びステップ１６０において、映像処理部９６から第２の受信処理ブロック９２Ｂ内のチューナ１２０Ｂが受信し復号したＣＨ９の信号が表示部１００に表示される。以上で処理を終了する。
【００８８】
以上の処理により、図２に示すＣＨ９の映像７０が表示される。
【００８９】
以上のように本実施の形態に係るデジタルテレビ放送受信装置８０は、ユーザの指示方法に基づき、ユーザが次に視聴するチャンネルの予測を行なう。表示中のチャンネルから他のチャンネルに切替えるようユーザの指示があった場合、予測していたチャンネルと合致すれば、直ちにそのチャンネルの映像を表示することが可能となる。一方、予測がはずれたとしても、切替先のチャンネルの映像信号の表示が可能になるまでの間、文字情報、すなわち、切替先のチャンネルと、その時点においてそのチャンネルで放送されている番組の情報とが表示される。その結果、画面が完全に真っ暗になってしまうことがなくなり、ユーザは、全く映像が見られないという不満を解消することができ、さらに、チャンネル切替時の時間を有効利用して、次に視聴する番組の情報という、有益な情報を得ることが可能になる。
【００９０】
［第２の実施の形態］
本実施の形態に係るデジタルテレビ放送受信装置は、受信処理ブロックを３つ含み、ユーザが次に視聴するチャンネルの予測において、予測チャンネル数を増やすことで予測的中率を上げる。
【００９１】
−構成−
図９に、本発明の第２の実施の形態に係るデジタルテレビ放送受信装置３００の構成をブロック図形式で示す。図９を参照して、デジタルテレビ放送受信装置３００は、図３に示すデジタルテレビ放送受信装置８０と似た構成を有している。ただしデジタルテレビ放送受信装置３００は、図４に示す第１及び第２の受信処理ブロック９２Ａ及び９２Ｂに加えて、これらと同一の構成を有する第３の受信処理ブロック９２Ｃを含む。以降、第３の受信処理ブロック９２Ｃの構成要素は、第１及び第２の受信処理ブロック９２Ａ及び９２Ｂと同様、それらの参照符号の末尾に文字「Ｃ」を付加して呼ぶものとする。
【００９２】
デジタルテレビ放送受信装置３００はまた、図３に示す、限定受信認証鍵格納部９４に代えて、第１から第３の受信処理ブロック９２Ａから９２Ｃのそれぞれへ限定受信認証鍵を出力することが可能な、限定受信認証鍵格納部３１４を含む。
【００９３】
デジタルテレビ放送受信装置３００はさらに、図３に示す、映像処理部９６及び音声処理部９８に代えて、いずれも第１から第３の受信処理ブロック９２Ａから９２Ｃのうちそれぞれの出力を受けることが可能であり、映像処理部９６及び音声処理部９８と同様の処理を行なうための映像処理部５０２及び音声処理部５０４を含む。映像処理部５０２及び音声処理部５０４は、それぞれ、第１から第３の受信処理ブロック９２Ａから９２Ｃの入力のうち、いずれか一つの入力を選択して処理する。この選択は中央処理部１０４の制御により行なわれる。それ以外の点では映像処理部５０２及び音声処理部５０４の構成は図３に示す映像処理部９６及び音声処理部９８とそれぞれ同一である。
【００９４】
−動作−
一般的に、チャンネルＵＰボタンを使用してユーザがチャンネル切替を行なった場合には、次の操作でもチャンネルＵＰボタンを操作する可能性が最も高く、次に可能性が高いのはチャンネルＤＯＷＮボタンの操作であると考えられる。一方、チャンネルＤＯＷＮボタンを使用してユーザがチャンネル切替を行なった場合には、次の操作でもチャンネルＤＯＷＮボタンを操作する可能性が最も高く、次に可能性が高いのはチャンネルＵＰボタンの操作であると考えられる。ダイレクトチャンネルボタンでチャンネルを選択した場合でも、次の操作はチャンネルＵＰボタン又はチャンネルＤＯＷＮボタンである可能性が高い。
【００９５】
そこで、本実施の形態に係るデジタルテレビ放送受信装置３００では、ユーザの選局時の操作にかかわらず、次に選択される可能性が高いのは、表示中チャンネルの前チャンネルと次チャンネルとであることを前提に、前チャンネルと次チャンネルとを、非表示中の二つのチューナでそれぞれ受信しておく。こうしてチャンネルを各チューナに割当てることにより、チャンネルＵＰボタン又はチャンネルＤＯＷＮボタンが操作されたときには、新たなチャンネルは非表示チューナの一方によって常に受信中となる。したがって、ユーザの操作に応じてすぐにそのチャンネルの表示に切替えることが可能になる。ユーザは直ちに切替先チャンネルの映像を楽しむことができる。一方、例えばユーザがダイレクトチャンネルボタンを使用して全く別のチャンネルを指定した場合、指定したチャンネルを受信しているチューナが無いことになる。この場合には、指定されたチャンネルの信号を表示中のチューナにより受信させ、復号させる。この場合にはそのチャンネルの映像はすぐには表示されないが、その映像が表示されるまでの間、切替先チャンネルで放送中の番組情報を表示する。ユーザは切替先チャンネルの番組情報を直ちに得ることができる。
【００９６】
具体的なチューナの動作を以下に説明する。なお、図９に示す第１の受信処理ブロック９２Ａに含まれる第１のチューナ１２０Ａ、第２の受信処理ブロック９２Ｂに含まれる第２のチューナ１２０Ｂ、及び、第３の受信処理ブロック９２Ｃに含まれる第３のチューナ１２０Ｃはそれぞれ、中央処理部１０４の制御に従う。本実施の形態における中央処理部１０４によるチューナへのチャンネルの割当は、第１の実施の形態の場合と比較してさらに単純であり、以下のような割当方法により各チューナのチャンネルを決定すればよい。
【００９７】
第１のチューナ１２０Ａが表示中チューナの場合、非表示中チューナのうち、第２のチューナ１２０Ｂは次チャンネルを、第３のチューナ１２０Ｃは前チャンネルを、それぞれ受信する。
【００９８】
第２のチューナ１２０Ｂが表示中チューナの場合、非表示中チューナのうち、第１のチューナ１２０Ａは前チャンネルを、第３のチューナ１２０Ｃは次チャンネルを、それぞれ受信する。
【００９９】
第３のチューナ１２０Ｃが表示中チューナの場合、非表示中チューナのうち、第１のチューナ１２０Ａは次チャンネルを、第２のチューナ１２０Ｂは前チャンネルを、それぞれ受信する。
【０１００】
以上の動作は、ユーザがチャンネル切替の際、チャンネルＵＰボタン、チャンネルＤＯＷＮボタン、及びダイレクトチャンネルボタンのいずれを用いても、不変である。
【０１０１】
図１０に、以下に説明する本願発明の第２の実施の形態に係るデジタルテレビ放送受信装置３００におけるチャンネル切替の際の表示映像シーケンス５３０、並びに図９に示す第１、第２及び第３の受信処理ブロック９２Ａ、９２Ｂ及び９２Ｃにそれぞれ含まれる第１、第２、及び第３のチューナ１２０Ａ、１２０Ｂ、及び１２０Ｃによる受信チャンネルシーケンス５６０、５６２、及び５６４を示す。
【０１０２】
装置３００の電源投入の直後には、初期設定により、第１のチューナ１２０ＡがＣＨ１の、第２のチューナ１２０ＢがＣＨ２の、第３にチューナ１２０ＣがＣＨ３の、受信及びデコードをそれぞれ実行しており、第２のチューナ１２０Ｂの出力が表示されていたとする。ユーザはＣＨ２の映像５４０を視聴している。
【０１０３】
ユーザがＣＨ３へのチャンネル切替指示をチャンネルＵＰボタンを用いて行なったものとする。これに応答して、デジタルテレビ放送受信装置３００はＣＨ３を受信中の第３のチューナ１２０Ｃの出力へ表示を切替える。すなわち、第３のチューナ１２０Ｃが表示中チューナとなり、第１のチューナ１２０Ａ及び第２のチューナ１２０Ｂがいずれも非表示中チューナとなる。これにより、ユーザは図１に示す真っ暗な画面３２の代りに、ＣＨ３の映像５４２を直ちに確認できる。この場合、非表示中となる第１のチューナ１２０Ａは、視聴中のチャンネル（ＣＨ３）の次チャンネルであるＣＨ４を、同じく非表示中となる第２のチューナ１２０Ｂは、ＣＨ３の前チャンネルであるＣＨ２を、それぞれ受信及びデコードする。なお、第２のチューナ１２０Ｂは既にＣＨ２を受信中であり、この受信を継続する。
【０１０４】
次に、ユーザがさらにリモコン１１４のチャンネルＵＰボタンを用いてＣＨ４へのチャンネル切替指示を行なうものとする。ＣＨ４は第１のチューナ１２０Ａが受信中である。したがってデジタルテレビ放送受信装置３００は、このチャンネル切替指示に応答して第１のチューナ１２０Ａの出力へ表示を切替える。これにより、ユーザはＣＨ４の映像５４４を直ちに確認することができる。この切替の結果、第１のチューナ１２０Ａが表示中チューナ、第２及び第３のチューナ１２０Ｂ及び１２０Ｃが非表示中チューナとなる。
【０１０５】
既に述べたとおりのチャンネル割当方法により、次チャンネルであるＣＨ５が非表示中の第２のチューナ１２０Ｂにより受信及びデコードされる。前チャンネルであるＣＨ３は非表示中の第３のチューナ１２０Ｃにより受信される。ここでは第３のチューナ１２０Ｃは既にＣＨ３を受信中であり、これが継続される。
【０１０６】
次にユーザがリモコン１１４のチャンネルＤＯＷＮボタンを用いてＣＨ３へのチャンネル切替指示を行なうものとする。デジタルテレビ放送受信装置３００は、ＣＨ３を受信中の第３のチューナ１２０Ｃの出力へ表示を切替える。これにより、ＣＨ３の映像５４６が直ちに表示される。第３のチューナ１２０Ｃが表示中チューナになり、第１及び第２のチューナ１２０Ａ及び１２０Ｂが非表示中チャンネルとなる。
【０１０７】
既に述べたとおりのチャンネル割当方法により、次チャンネルであるＣＨ４が非表示中の第１のチューナ１２０Ａにより受信される。ＣＨ４は第１のチューナ１２０Ａにより既に受信中で、これが継続される。前チャンネルであるＣＨ２は、非表示中の第２のチューナ１２０Ｂにより受信及びデコードされる。
【０１０８】
次にユーザがリモコン１１４のチャンネルＤＯＷＮボタンを用いてＣＨ２へのチャンネル切替指示を行なうものとする。これにより、ＣＨ２の映像５４８が直ちに表示される。ＣＨ２を受信中の第２のチューナ１２０Ｂが表示中チューナとなり、第１及び第３のチューナ１２０Ａ及び１２０Ｃが非表示中チューナとなる。既に述べたチャンネル割当方法により、次チャンネルであるＣＨ３は第３のチューナ１２０Ｃにより受信される。第３のチューナ１２０Ｃは既にＣＨ３を受信中であり、これを継続する。前チャンネルＣＨ１は非表示中の第１のチューナ１２０Ａにより受信及びデコードされる。
【０１０９】
次にユーザがリモコン１１４のダイレクトチャンネルボタンを用いてＣＨ９への切替を指示したものとする。この場合、第１、第２及び第３のチューナ１２０Ａ、１２０Ｂ及び１２０Ｃはいずれも指示されたチャンネルを受信していない。そのため、表示中の第２のチューナ１２０Ｂを用いて指示チャンネル（ＣＨ９）の受信及びデコードが開始される。この際、ＣＨ９の映像５５２が正常に表示されるまでの時間期間５７０において、真っ暗な画面を表示する変わりに、ＣＨ９で放送中の番組情報を表示する。例えば、画面５５０に示す番組タイトル“○○○ニュース”がこれに相当する。一方、前述のチャンネル割当方法にしたがい、非表示中の第３のチューナ１２０Ｃで次チャンネルであるＣＨ１０を、第１のチューナ１２０Ａで前チャンネルであるＣＨ８を、それぞれ受信及びデコードする。この後、ユーザがチャンネルＵＰボタン及びチャンネルＤＯＷＮボタンのいずれを押しても、直ちに該当チャンネルの映像を表示できる。
【０１１０】
以上のように本実施の形態に係るデジタルテレビ放送受信装置３００は、ユーザが次にチャンネルＵＰボタン及びチャンネルＤＯＷＮボタンのいずれを押しても、直ちにそのチャンネルへの表示の切替を行なうことができる。このため、第１の実施の形態に係るデジタルテレビ放送受信装置８０がもたらす効果に加え、映像が表示されるまでの時間の平均をさらに短くすることができる。すなわち、切替先チャンネルの映像表示が可能になるまでの待ち時間を短くすることができる。この結果、チャンネル切替後のある時間期間において、目的とするチャンネルの番組が表示されないことにより生ずるユーザの不満を緩和できる。
【０１１１】
−変形例−
デジタルテレビ放送受信装置は、第１、第２及び第３の受信処理ブロック９２Ａ、９２Ｂ及び９２Ｃに加えて、これらと同一又は類似の構成を有する複数（例えばＮ個）の受信処理ブロックを含んでもよい。なお、Ｎは正の整数である。
【０１１２】
この場合、図３に示す限定受信認証鍵格納部９４に代えて、第１の受信処理ブロック９２Ａから第Ｎの受信処理ブロックの各々に限定受信認証鍵を出力することが可能な限定受信認証鍵格納部を用いる。さらに、図３に示す映像処理部９６及び音声処理部９８に代えて、いずれも第１の受信処理ブロック９２Ａから第Ｎの受信処理ブロックの出力を受けることが可能であり、いずれか一つの受信処理ブロックの出力を選択して映像処理部９６及び音声処理部９８と同様の処理を行なうための映像処理部及び音声処理部を使用する。映像処理部及び音声処理部は、それぞれ、第１の受信処理ブロック９２Ａから第Ｎの受信処理ブロックの出力のうち、いずれか一つを選択して処理する。この選択は中央処理部１０４の制御により行なわれる。それ以外の点では映像処理部及び音声処理部の構成は図３に示す映像処理部９６及び音声処理部９８とそれぞれ同一である。
【０１１３】
受信処理ブロックの数を増加させるほど、チャンネル切替の指示があったときからそのチャンネルの映像が表示されるまでの時間をほぼ０とすることができ、映像表示までの平均の待ち時間をさらに短くすることができる。ただし、受信処理ブロックの数があまりに多いとコストが上昇し、消費電力も増大するため、上記実施の形態のように２つ又は３つの受信処理ブロックを使用することが現実的である。
【０１１４】
今回開示された実施の形態は単に例示であって、本発明が上記した実施の形態のみに制限されるわけではない。本発明の範囲は、発明の詳細な説明の記載を参酌した上で、特許請求の範囲の各請求項によって示され、そこに記載された文言と均等の意味および範囲内でのすべての変更を含む。
【図面の簡単な説明】
【０１１５】
【図１】従来の技術によるチャンネル切替時の表示シーケンスを示す模式図である。
【図２】本発明の第１の実施の形態に係るデジタルテレビ放送受信装置による、チャンネル切替時の映像シーケンスを模式的に示す図である。
【図３】第１の実施の形態に係るデジタルテレビ放送受信装置８０の概略ブロック図である。
【図４】図３に示す第１のデジタルテレビ放送受信処理ブロック９２Ａの概要ブロック図である。
【図５】デジタルテレビ放送受信装置８０の中央処理部１０４で実行されるチャンネルメイン制御プログラムを示すフローチャートである。
【図６】図５のステップ１４６において起動され、第１及び第２のデジタルテレビ放送受信処理ブロック９２Ａ及び９２Ｂにおいて実行されるチャンネル予測及び表示切替処理を示すフローチャートである。
【図７】図６のステップ１７３、１７４、１７５、１７９、１８０、１８１、１８５、１８６及び１８７において起動され、第１及び第２のデジタルテレビ放送受信処理ブロック９２Ａ及び９２Ｂにおいて実行されるチャンネル切替処理を示すフローチャートである。
【図８】図５のステップ１５０において起動される、「現在放送中の番組」情報による番組情報画面作成処理を示すフローチャートである。
【図９】第２の実施の形態に係るデジタルテレビ放送受信装置３００の概略ブロック図である。
【図１０】本発明の第２の実施の形態に係るデジタルテレビ放送受信装置３００による、チャンネル切替時の映像シーケンスを模式的に示す図である。
【符号の説明】
【０１１６】
８０，３００  デジタルテレビ放送受信装置
９０  アンテナ端子
９２Ａ，９２Ｂ，９２Ｃ  デジタルテレビ放送受信処理ブロック（受信処理ブロック）
９４，３１４  限定受信認証鍵格納部
９６，５０２  映像処理部
９８，５０４  音声処理部
１００  表示部
１０２  音声出力部
１０３  バス
１０４  中央処理部
１０６  主記憶部
１０８  補助記憶部
１１０  時計
１１２  ユーザ入力受付部
１１４  リモコン
１１６  操作パネル
１２０  デジタル放送フロントエンド処理部チューナ（チューナ）
１２２  復調部
１２４  多重信号分離部
１２６  番組特定情報・サービス情報処理部
１２８  映像信号暗号解除処理部
１３０  音声信号暗号解除処理部
１３２  映像信号復号部
１３４  音声信号復号部
【図１】
2009017360.tif 000003
【図２】
2009017360.tif 000004
【図３】
2009017360.tif 000005
【図４】
2009017360.tif 000006
【図５】
2009017360.tif 000007
【図６】
2009017360.tif 000008
【図７】
2009017360.tif 000009
【図８】
2009017360.tif 000010
【図９】
2009017360.tif 000011
【図１０】
2009017360.tif 000012